(57)【特許請求の範囲】
【請求項１】
水栓に取付けられる分岐栓であって、
前記水栓における湯又は水の供給流路に連通する流入流路、及び、前記流入流路よりも下流側で前記供給流路に連通する流出流路、を有する本体と、
外部接続機器と接続されて、この外部接続機器及び前記流入流路と連通する分岐流路を有する分岐部材と、
前記外部接続機器と接続されて、この外部接続機器及び前記流出流路と連通する戻し流路を有する戻し部材と、
前記流入流路と前記流出流路との連通を開閉する開閉部材とを具備し、
前記供給流路から前記流入流路に流入した湯又は水を、前記開閉部材の開閉によって、前記流出流路に直接流通させて、前記供給流路へ流出可能とする一方、前記分岐流路から前記外部接続機器に流通させて、前記戻し流路から前記流出流路に流通させたあと、前記供給流路へ流出可能とし、
前記本体は、外側部材と、内筒部及び外筒部を有する二重筒状の内側部材とを具備し、前記内側部材を前記外側部材に挿入して固定するように構成され、前記流入流路を前記内側部材の内筒部内に形成し、
前記分岐部材は、前記本体における外側部材及び内側部材のそれぞれの外周面から内周面へ貫通する貫通孔に挿入されて固定される
分岐栓。
【請求項２】
前記分岐部材は、複数個具備されている請求項１に記載の分岐栓。
【発明の詳細な説明】
【技術分野】
【０００１】
本発明は、分岐栓の技術に関する。
【背景技術】
【０００２】
従来、水栓に取付けられる分岐栓であって、水栓における湯又は水の供給流路に連通する流入流路及び前記流入流路よりも下流側で供給流路に連通する流出流路を有する本体と、外部接続機器と接続されてこの外部接続機器、及び前記流入流路と連通する分岐流路を有する分岐部材と、外部接続機器と接続されてこの外部接続機器及び前記流出流路と連通する戻し流路を有する戻し部材と、を具備する分岐栓に関する技術は公知となっている。例えば特許文献１に示す如くである。当該分岐栓は、主に、浄水器に接続されて、浄水器からの浄水を水栓の吐出口から吐出する用途に用いられる。
【先行技術文献】
【特許文献】
【０００３】
【特許文献１】特開平１０−１６８９６１号公報
【発明の概要】
【発明が解決しようとする課題】
【０００４】
しかしながら、このような分岐栓では、その本体が有する流入流路と流出流路とは連通していないため、前記流入流路に供給される水道管からの水やボイラからの湯等を、直接前記流出流路を通じて水栓の吐出口から吐出することはできない。又、当該分岐栓では、前記分岐部材を通じて外部接続機器に流通した湯又は水が戻し部材の戻し流路に戻ってこなければ、当該湯又は水を水栓の吐出口から吐出することはできない。つまり、当該分岐栓では、分岐部材に接続される外部接続機器が、分岐した湯又は水を戻し部材の戻し流路に戻すような機器でない場合（例えば、食洗器の場合）には、これを使用しながら同時に水栓の吐出口から湯又は水を吐出することができず、利便性が悪いという問題があった。
【０００５】
本発明は、以上の如き状況に鑑みてなされたものであり、接続される外部接続機器を使用しながら同時に水栓の吐出口から湯又は水を吐出することができ、利便性を向上させた分岐栓を提供することを課題とする。
【課題を解決するための手段】
【０００６】
本発明の解決しようとする課題は以上の如くであり、次にこの課題を解決するための手段を説明する。
【０００７】
請求項１においては、水栓に取付けられる分岐栓であって、前記水栓における湯又は水の供給流路に連通する流入流路、及び、前記流入流路よりも下流側で前記供給流路に連通する流出流路、を有する本体と、外部接続機器と接続されて、この外部接続機器及び前記流入流路と連通する分岐流路を有する分岐部材と、前記外部接続機器と接続されて、この外部接続機器及び前記流出流路と連通する戻し流路を有する戻し部材と、前記流入流路と前記流出流路との連通を開閉する開閉部材とを具備し、前記供給流路から前記流入流路に流入した湯又は水を、前記開閉部材の開閉によって、前記流出流路に直接流通させて、前記供給流路へ流出可能とする一方、前記分岐流路から前記外部接続機器に流通させて、前記戻し流路から前記流出流路に流通させたあと、前記供給流路へ流出可能とし、前記本体は、外側部材と、内筒部及び外筒部を有する二重筒状の内側部材とを具備し、前記内側部材を前記外側部材に挿入して固定するように構成され、前記流入流路を前記内側部材の内筒部内に形成し、前記分岐部材は、前記本体における外側部材及び内側部材のそれぞれの外周面から内周面へ貫通する貫通孔に挿入されて固定されるものである。
【０００８】
請求項２においては、前記分岐部材は、複数個具備されているものである。
【発明の効果】
【０００９】
本発明の効果として、以下に示すような効果を奏する。
【００１０】
即ち、本発明に係る分岐栓によれば、接続される外部接続機器を使用しながら同時に水栓の吐出口から湯又は水を吐出させることができ、利便性を向上させることができる。
【図面の簡単な説明】
【００１１】
【図１】本発明の実施形態に係る分岐栓の側面図。
【図２】本発明の実施形態に係る分岐栓の正面図。
【図３】（ａ）本発明の実施形態に係る分岐栓の本体と分岐部材と戻し部材とを示したの平面図、（ｂ）本発明の実施形態に係る分岐栓のソケットの平面図。
【図４】本発明の実施形態に係る分岐栓の側面断面図。
【図５】本発明の実施形態に係る分岐栓の正面断面図。
【図６】本発明の実施形態に係る分岐栓のＡ−Ａ断面図。
【図７】本発明の実施形態に係る分岐栓の正面拡大図。
【図８】本発明の実施形態に係る分岐栓の側面断面図。
【図９】本発明の実施形態に係る分岐栓の側面断面図。
【発明を実施するための形態】
【００１２】
次に、本発明に係る分岐栓１の実施形態について、図１から図９を用いて説明する。本発明に係る分岐栓１は、既設の水栓９の給水ハンドル取付け口９４ａに取付けられるものである。そして、分岐栓１は、所定の外部接続機器（例えば、浄水器や整水器や食洗機等）に接続されて、水栓９の供給流路９１における上流側供給流路９２から流入する湯または水を、当該外部接続機器に流通させ、また、水栓９の供給流路９１における下流側供給流路９３に流出させるものである（図８参照）。
【００１３】
また、分岐栓１は、図１から図６に示す如く、本体１０と、２つの分岐部材５０・５０と、戻し部材６０と、開閉部材とを具備し、本体１０は流入流路１３と、流出流路１４とを有する。
【００１４】
分岐栓１の本体１０は、内側部材１１と外側部材１２とを具備する。本体１０の内側部材１１は、内筒部及び外筒部を有する二重筒状に構成される。本体１０の内側部材１１の外筒部は、ソケット２０によって構成される。内側部材１１のソケット２０は、金属素材からなる部材であり、上下方向を軸心方向とする略円筒状に形成される。ソケット２０における上部の左右には、外周面から内周面へ貫通する貫通孔が、左右対称となるようにそれぞれ形成されている。つまり、ソケット２０におけるそれぞれの貫通孔は、上下方向の位置が互いに同一となるようにソケット２０に形成されている。ソケット２０におけるそれぞれの貫通孔の内周面には、雌ネジが形成されている。なお、以下において、ソケット２０における左方の貫通孔を第一貫通孔２１と、右方の貫通孔を第二貫通孔２２と称する。
【００１５】
ソケット２０における上部（ソケット２０の上端部の直下）の前後には、ソケット２０の上端部を残した状態で外周面を面取りすることにより肉薄状にされた肉薄部２３・２３がそれぞれ形成されている。つまり、ソケット２０の上部における前後方向の外周面を２面取りすることにより、ソケット２０の肉薄部２３・２３が、互いの外面が平行且つ前後対称となるように、ソケット２０における上部の前後にそれぞれ形成されている。また、ソケット２０の肉薄部２３・２３は、第一貫通孔２１及び第二貫通孔２２よりも下方に至るまでそれぞれ形成されている。
【００１６】
ソケット２０の第一貫通孔２１及び第二貫通孔２２の下方且つ肉薄部２３の下端部よりも上方には、内周面から内側に向けて突出する環状の内凸部２４が形成されている。また、内凸部２４の内周面には位置決め溝が形成されており、当該位置決め溝にＯリング３２が嵌装されている。なお、以下において、円筒形状のソケット２０における上下に貫通する空間のうち、内凸部２４が形成されている箇所よりも上方に位置する部分を上部空間Ｘと称する。この上部空間Ｘが配置される部分のソケット２０には、第一貫通孔２１、第二貫通孔２２、及び、肉薄部２３・２３が形成されている。
【００１７】
ソケット２０の肉薄部２３・２３における内凸部２４形成位置よりも下方の位置には、肉薄部２３・２３の外面を内側方向へ切り欠くことにより、ソケット２０の外面から内周面へ貫通する切欠き部２５・２５が形成されている。ソケット２０の切欠き部２５・２５は、互いの外面が平行且つ前後対称となるように、ソケット２０における肉薄部２３の下端部がその外面からソケット２０の内周面に至るまでそれぞれ切欠かれて形成される。
【００１８】
ソケット２０における上下中央部（ソケット２０の切欠き部２５の直下）の外周面には位置決め溝が形成されており、当該位置決め溝にＯリング３３が嵌装されている。また、ソケット２０におけるＯリング３３が嵌挿されている箇所の直下には、外周面から外側に向けて突出する環状の外凸部２６が形成されている。
【００１９】
ソケット２０における下端部は、その内周面及び外周面が若干広径に形成されて、その広径に形成された内部には、座金２７を介してパッキン２８が配置さている。ソケット２０における下部（広径に形成された下端部の直上）の前後左右には、それぞれの外周面から内周面へ貫通するように貫通孔がそれぞれ形成されている。当該ソケット２０における下部の貫通孔は、水栓９の供給流路９１へ湯又は水を流出するための流出口２９として構成される。
【００２０】
本体１０の内側部材１１の内筒部は、パイプ材３０によって構成される。内側部材１１のパイプ材３０は金属素材からなる部材であり、上下方向を軸心方向とする円筒状の部材である。パイプ材３０は、その軸心方向の長さが、ソケット２０の内凸部２４からソケット２０の下端部に至る長さと略同一となるように形成される。また、パイプ材３０は、その外径がソケット２０の内凸部２４の内径と略同一となるように形成される。
【００２１】
そして、パイプ材３０は、当該パイプ材３０の軸心と、ソケット２０の軸心と一致させるように、パイプ材３０の上端部をソケット２０の内凸部２４（Ｏリング３２）に嵌挿させて、ソケット２０内に配置される。このようにパイプ材３０をソケット２０内に配置することにより、本体１０の内側部材１１は、内筒部（パイプ材３０）及び外筒部（ソケット２０）を有する二重筒状に構成される。
【００２２】
このように配置されたパイプ材３０の下方の開口は、水栓９の供給流路９１から湯又は水が流入するための流入口３１として構成される。また、内側部材１１におけるパイプ材３０の内部空間は、分岐栓１が水栓９に取付けられた際に、当該水栓９の供給流路９１に連通する本体１０の流入流路１３として構成される。つまり、本体１０の内側部材１１の内筒部（パイプ材３０）内に流入流路１３は形成される。ここで、本体１０の流入流路１３とは、水栓９の供給流路９１から本体１０の流入口３１を介して流入した湯又は水が流通するための流路を示す。そして、このようにパイプ材３０がソケット２０内に配置されることにより、流入流路１３（パイプ材３０内）とソケット２０の上部空間Ｘとが連通することとなる。
【００２３】
また、このようにパイプ材３０の上端部が内凸部２４（Ｏリング３２）に嵌挿されることにより、ソケット２０の上部空間Ｘと内凸部２４より下方の空間とは、ソケット２０内において水密的にシールされている。
【００２４】
さらに、このようにパイプ材３０がソケット２０内に配置されることにより、ソケット２０の内凸部２４より下方の内面と、パイプ材３０の外面との間に、所定の空間Ｙ１が形成されている。当該所定の空間Ｙ１は、本体１０の流出流路１４の一部を構成する。
【００２５】
本体１０の外側部材１２は、ロックナット４０と、ハブ４２と、で構成される。外側部材１２のロックナット４０は、金属素材からなる部材であり、上下方向を軸心方向とする円筒状の部材である。ロックナット４０の内径は、内側部材１１におけるソケット２０の外凸部２６の外径と略同一に形成されている。また、ロックナット４０の上端部には、内周面から内側に向けて突出する環状の係合部４１が形成されている。ロックナット４０の係合部４１は、内側部材１１におけるソケット２０の外凸部２６と係合可能なように、内側部材１１におけるソケット２０の外筒部の外径より小さく、且つ、ソケット２０における外凸部２６の直上の外径と略同一に形成されている。このようにして構成された外側部材１２のロックナット４０は、その下方から内側部材１１が挿入されて、内側部材１１におけるソケット２０の外筒部とロックナット４０の係合部４１とを係合させて、配置される。
【００２６】
外側部材１２のハブ４２は、金属素材からなる部材であり、上下方向を軸心方向とする円筒状の部材である。ハブ４２における下部の内径は、Ｏリング３３が嵌挿されている状態の内側部材１１におけるソケット２０上下中央部の外径と、略同一に形成されている。
【００２７】
ハブ４２における上部の内径は、ハブ４２の下部の内径及び内側部材１１におけるソケット２０の上端部の外径より大きい径に形成されている。ハブ４２の上端部には、内周面から内側に向けて突出する環状の接合部４６が形成されている。さらに、ハブ４２における接合部４６の上部の周面には、位置決め溝が形成されており、当該位置決め溝にＯリング４７が嵌装されている。また、ハブ４２における接合部４６の下部の周面には、開閉部材の給水ハンドル機構と螺合させるための雌ネジが形成されている。
【００２８】
ハブ４２における上下中央部の左右には、外周面から内周面へ貫通する貫通孔が、左右対称となるようにそれぞれ形成されている。つまり、ハブ４２における左右のそれぞれの貫通孔は、上下方向の位置が互いに同一となるようにハブ４２に形成されている。また、ハブ４２における左右のそれぞれの貫通孔は、ハブ４２に内側部材１１を挿入してハブ４２を所定の位置に配置した際に、当該貫通孔の位置が、内側部材１１におけるソケット２０の第一貫通孔２１及び第二貫通孔２２の位置と一致するように形成されている。
【００２９】
ハブ４２における上下中央部の後方には、外周面から内周面へ貫通する貫通孔が、ハブ４２における左右のそれぞれの貫通孔と、上下方向の位置が互いに同一となるように形成されている。また、ハブ４２における後方の貫通孔は、これの上下方向の位置がハブ４２に内側部材１１を挿入してハブ４２を所定の位置に配置した際に、内側部材１１におけるソケット２０の第一貫通孔２１及び第二貫通孔２２の上下方向の位置と一致するように形成されている。また、ハブ４２における後方の貫通孔の内周面には雌ネジが形成されている。なお、以下において、ハブ４２における左方の貫通孔を第三貫通孔４３と、右方の貫通孔を第四貫通孔４４と、後方の貫通孔を第五貫通孔４５と称する。
【００３０】
このように構成された外側部材１２のハブ４２は、ロックナット４０が配置された状態の内側部材１１がその下方から挿入されて、内側部材１１におけるソケット２０の上下中央部がハブ４２の下部に嵌挿され、ロックナット４０の上方に配置される。またこの際、ハブ４２の第三貫通孔４３とソケット２０の第一貫通孔２１とを、ハブ４２の第四貫通孔４４とソケット２０の第二貫通孔２２とを、それぞれ一致させるように、且つ、ハブ４２の第五貫通孔４５を後方に位置するようにして、ハブ４２に内側部材１１が挿入される。なお、係る状態において、外側部材１２におけるハブ４２の上部内には、内側部材１１におけるソケット２０の上端部が配置されている。
【００３１】
このように外側部材１２のハブ４２が配置されることにより、外側部材１２におけるハブ４２の内壁と内側部材１１におけるソケット２０の上端部との間、及び、外側部材１２のハブ４２の内壁と内側部材１１のソケット２０の肉薄部２３との間には、これらの間が互いに連通する所定の空間Ｙ２が形成されている。当該所定の空間Ｙ２は、本体１０の流出流路１４の一部を構成する。また、当該所定の空間Ｙ２は、ソケット２０の内凸部２４より下方の内面とパイプ材３０の外面との間の所定の空間Ｙ１に、内側部材１１におけるソケット２０の切欠き部２５・２５を介して連通している。そして、当該ソケット２０の切欠き部２５・２５を介して所定の空間Ｙ２と所定の空間Ｙ１とを連通することにより構成される空間は、分岐栓１が水栓９に取付けられた際に当該水栓９の供給流路９１における下流側供給流路９３に連通する本体１０の流出流路１４として構成される。ここで、本体１０の流出流路１４とは、湯又は水が流通して本体１０の流出口２９を介して水栓９の供給流路９１における下流側供給流路９３へ流出するための流路を示す。
以上のようにして分岐栓１の本体１０は構成される。
【００３２】
次に、分岐栓１の分岐部材５０について説明する。分岐部材５０は、金属素材からなる部材であり、分岐栓１を所定の外部接続機器に接続するための部材である。また、分岐部材５０は、円柱部５２と六角部５３と分岐流路５１を有する。分岐部材５０の円柱部５２は円柱形状に形成され、その六角部５３は六角柱形状に形成されている。そして、分岐部材５０は、その円柱部５２と六角部５３との互いの軸心を一致させるように円柱部５２の一側面に六角部５３が一体的に設けられて構成されている。また、分岐部材５０の分岐流路５１は、円柱部５２と六角部５３とのそれぞれの軸心を貫通するようにして形成されている。
【００３３】
分岐部材５０における円柱部５２の外径は、これを本体１０におけるソケット２０の第一貫通孔２１又は第二貫通孔２２、及び、ハブ４２の第三貫通孔４３又は第四貫通孔４４に挿入して接合可能なように、ソケット２０の第一貫通孔２１又は第二貫通孔２２、及びハブ４２の第三貫通孔４３又は第四貫通孔４４の内径と略同一に構成されている。また、分岐部材５０における円柱部５２の軸心方向の長さは、これが本体１０におけるソケット２０の第一貫通孔２１又は第二貫通孔２２、及びハブ４２の第三貫通孔４３又は第四貫通孔４４に挿入された際に、当該円柱部５２の先端が、ソケット２０の上部空間Ｘに至るような長さに形成されている。分岐部材５０における円柱部５２の外周面には、雄ネジが形成されている。分岐部材５０における円柱部５２の基端の外周面には位置決め溝が形成されており、当該位置決め溝にＯリング５４が嵌装されている。
【００３４】
そして、このように構成された分岐部材５０・５０は、ハブ４２の第三貫通孔４３とソケット２０の第一貫通孔２１、及び、ハブ４２の第四貫通孔４４とソケット２０の第二貫通孔２２に、その円柱部５２・５２の先端からソケット２０の挿入方向と交差する方向にこれを挿入して、当該円柱部５２・５２の外周面に形成された雄ネジと、ソケット２０の第一貫通孔２１及び第二貫通孔２２の内周面に形成された雌ネジとを螺合させてこれらを接合させることによって、本体１０に固定される。この場合、分岐部材５０・５０の雄ネジと、ソケット２０の第一貫通孔２１及び第二貫通孔２２の雌ネジとの間は、Ｏリング５４・５４や接着剤等のシール材を介装する等して水密的にシールされる。また、このようにして分岐部材５０が本体１０に固定されることによって、本体１０の内側部材１１は外側部材１２に挿入された状態で固定されることとなる。
【００３５】
このように分岐部材５０・５０が本体１０に固定された状態において、分岐部材５０・５０の分岐流路５１・５１は、本体１０におけるソケット２０の上部空間Ｘと連通している。つまり、係る状態において、分岐部材５０の分岐流路５１は、ソケット２０の上部空間Ｘを介して、本体１０の流入流路１３と連通している。
【００３６】
また、このように本体１０に固定された分岐部材５０は、分岐コック２及びホース３を介して図示しない浄水器や食栓器等の外部接続機器に接続されて、分岐部材５０の分岐流路５１と外部接続機器とは連通することとなる（図７参照）。つまり、分岐部材５０が外部接続機器に接続されることにより、本体１０の流入流路１３は、分岐部材５０の分岐流路５１を介して外部接続機器と連通することとなる。
【００３７】
なお、分岐部材５０における円柱部５２の軸心方向の長さは、これが本体１０におけるソケット２０の第一貫通孔２１又は第二貫通孔２２、及びハブ４２の第三貫通孔４３又は第四貫通孔４４に挿入された際に、当該円柱部５２の先端がソケット２０の第一貫通孔２１又は第二貫通孔２２に至って、当該円柱部５２とソケット２０の第一貫通孔２１又は第二貫通孔２２とが螺合できるような長さであればよいものとする。
【００３８】
次に、戻し部材６０について説明する。戻し部材６０は、金属素材からなる部材であり、所定の外部接続機器に接続するための部材である。また、戻し部材６０は、円柱部６２と六角部６３と戻し流路６１とを有する。戻し部材６０の円柱部６２は円柱形状に形成され、その六角部６３は六角柱形状に形成されている。そして、戻し部材６０は、その円柱部６２と六角部６３との互いの軸心を一致させるように円柱部６２の一側面に六角部６３が一体的に設けられて構成されている。また、戻し部材６０の戻し流路６１は、円柱部６２と六角部６３とのそれぞれの軸心を貫通するようにして形成されている。
【００３９】
戻し流路６１における円柱部６２の外径は、これを本体１０におけるハブ４２の第五貫通孔４５に挿入して接合可能なように、ハブ４２の第五貫通孔４５の内径と略同一に構成されている。また、戻し部材６０における円柱部６２の軸心方向の長さは、これが本体１０におけるハブ４２の第五貫通孔４５に挿入された際に、当該円柱部６２の先端が、本体１０の流出流路１４（本体１０の空間Ｙ２）に至るような長さに形成されている。戻し部材６０における円柱部６２の外周面には、雄ネジが形成されている。
【００４０】
そして、このように構成された戻し部材６０は、ソケット２０の第五貫通孔４５に、その円柱部６２の先端からソケット２０の挿入方向と交差する方向にこれを挿入して、当該円柱部６２の外周面に形成された雄ネジと、ソケット２０の第五貫通の内周面に形成された雌ネジとを螺合させてこれらを接合させることによって、本体１０に固定される。この場合、分岐部材５０の雄ネジと、ソケット２０の第一貫通孔２１及び第二貫通孔２２の雌ネジとの間は、接着剤等のシール材を介装する等して水密的にシールされる。また、このように戻し部材６０が本体１０に固定された状態において、戻し部材６０の戻し流路６１は、本体１０の流出流路１４と連通している。
【００４１】
また、このように本体１０に固定された戻し部材６０は図示しないホースを介して浄水器や食栓器等の外部接続機器に接続されて、戻し部材６０の戻し流路６１と外部接続機器とは連通することとなる。つまり、戻し部材６０が外部接続機器に接続されることにより、本体１０の流出流路１４は、戻し部材６０の戻し流路６１を介して外部接続機器と連通することとなる。
【００４２】
次に、開閉部材について説明する。開閉部材は、本体１０内に配置されて本体１０の流入流路１３と流出流路１４との連通を開閉するための部材であり、主としてカートリッジ７０によって構成される。
【００４３】
カートリッジ７０には、その下面から側面に向けて貫通し、且つその連通を開閉可能に構成される開閉流路７１が形成されている。また、カートリッジ７０には、これに開閉流路７１が形成されることにより、その下面に下面開口７２、及び、その側面に側面開口７３が各々形成されている。カートリッジ７０の下面開口７２は、カートリッジ７０が本体１０に配置された際に、カートリッジ７０の開閉流路７１と本体１０の流入流路１３とが当該下面開口７２を介して連通する位置に形成されている。また、カートリッジ７０の側面開口７３は、カートリッジ７０が本体１０に配置された際に、カートリッジ７０の開閉流路７１と本体１０の流出流路１４とが当該側面開口７３を介して連通する位置に形成されている。
【００４４】
カートリッジ７０は、これの上面から上方に突出するボス（不図示）を周方向に回動することによって開閉流路７１の開閉が行われるように構成されている。詳細には、カートリッジ７０は、前記ボスを平面視で時計回りに回動させた場合にはこれの開閉流路７１が閉状態となり、前記ボスを反時計回りに回動させた場合にはこれの開閉流路７１が開状態となるように構成されている。
【００４５】
このようにして構成されたカートリッジ７０は、本体１０におけるソケット２０の上方に載置することによりハブ４２の上部内に配置される。係る状態において、カートリッジ７０の開閉流路７１は、これが開状態の場合において、カートリッジ７０の下面開口７２と本体１０の上部空間Ｘを介して、本体１０の流入流路１３と連通している。また、係る状態において、カートリッジ７０の開閉流路７１は、これが開状態の場合において、カートリッジ７０の側面開口７３を介して、本体１０の流出流路１４（本体１０の空間Ｙ２）と連通している。つまり、このようにカートリッジ７０が本体１０に配置されることにより、カートリッジ７０の開閉流路７１が開状態の場合において、本体１０の流入流路１３と流出流路１４とは、当該開閉流路７１を介して連通していることとなる。他方、このようにカートリッジ７０が本体１０に配置されることにより、カートリッジ７０の開閉流路７１が閉状態の場合において、本体１０の流入流路１３と流出流路１４とは、当該開閉流路７１によって連通が遮断されている。
【００４６】
また、カートリッジ７０の上方には、カートリッジ７０を本体１０に固定する固定部材７４を設け、さらに固定部材７４より上方に突出するようにしてカートリッジ７０のボスに連動する操作部材７５が設けられている。当該固定部材７４の下端の外径は、本体１０におけるハブ４２の上方の開口に挿入して接合可能なように、当該ハブ４２における上方の開口の内径と略同一に形成されている。また、当該固定部材７４の下端の外周面には雄ネジが形成されている。そして、固定部材７４に形成された雄ネジと本体１０におけるハブ４２の上方の開口に形成された雌ネジとを螺合させることによって固定部材７４と本体１０とを接合させている。また、このように固定部材７４と本体１０とを接合させることによって、カートリッジ７０は下方に押圧されて本体１０に固定されている。この場合、固定部材７４の雄ネジと、ハブ４２における上方の開口の雌ネジとの間は、接着剤等のシール材を介装する等して水密的にシールされる。また、固定部材７４と、ハブ４２における上方の開口との間は、ハブ４２における上方の開口のＯリング４７によっても水密的にシールされる。
【００４７】
カートリッジ７０のボスに連動する操作部材７５には、当該操作部材７５及び固定部材７４を覆うようにして、ハンドル７６が固定して設けられている。そして、分岐栓１は、操作部材７５に取付けられたハンドル７６を周方向に回動させることにより、操作部材７５を介してカートリッジ７０のボスが回動し、カートリッジ７０の開閉流路７１が開閉するように構成されている。
【００４８】
以上のようにして構成された分岐栓１は、図８に示す如く、これの流入口３１（パイプ材３０の下方の開口）を水栓９の取付け口９４ａの開口から挿入して、パイプ材３０の下端部（パッキン２８）をシート部９６に当接させ、分岐栓１のロックナット４０の内周面に形成された雌ネジと、水栓９の取付け口９４ａの外周面に形成された雄ネジを螺合させることによって、水栓９の取付け口９４ａに固定されて取付けられる。そして、このように分岐栓１が水栓９に取付けられた際には、分岐栓１における本体１０の流入流路１３はこれの流入口３１を介して水栓９の上流側供給流路９２と連通し、水栓９の上流側供給流路９２から湯又は水が流入流路１３に流入することとなる。他方、係る状態の分岐栓１では、分岐栓１における本体１０の流出流路１４はこれの流出口２９を介して水栓９の下流側供給流路９３と連通し、分岐栓１における本体１０の流出流路１４から湯又は水が水栓９の下流側供給流路９３へ流出することとなる。
【００４９】
ここで、水栓９の供給流路９１とは、水道管やボイラ等からの湯又は水を水栓９の吐出口９５へ流通させて給水するための流路であり、水道管やボイラ及び取付け口９４ａに連通する上流側供給流路９２と、シート部９６を隔てて上流側供給流路９２より下流側に配置され吐出口９５に連通する下流側供給流路９３とから構成されている。つまり、このように分岐栓１が水栓９に取付けられた際には、分岐栓１における本体１０の流出流路１４は、これの流入流路１３よりも下流側で、水栓９の供給流路９１と連通している。
【００５０】
このように水栓９の取付け口９４に取付けられた分岐栓１では、分岐部材５０及び戻し部材６０に接続される外部接続機器が浄水器の場合には、ハンドル７６を回動させて開閉流路７１を閉状態とするとともに、分岐部材５０に接続される分岐コック２を開状態として浄水器に湯又は水を流出させて、浄水器からの浄水（水）を、戻し部材６０の戻し流路６１に流入させて分岐栓１における本体１０の流出流路１４に流通させ、これを水栓９の下流側供給流路９３へ流出させて水栓９の吐出口９５から吐出させることができる。つまり、分岐栓１によれば、浄水器からの浄水（水）を吐出するための吐出口を水栓９の吐出口９５とは別に設けることなく、また、浄水器に接続されるホースを水栓９の吐出口９５に接続することなく、浄水器からの浄水（水）を水栓９の吐出口９５から吐出させることができる。したがって、分岐栓１によれば、容易に水栓９周りに浄水器を配置することができ、また、浄水器を配置した場合においても水栓９周りが煩雑になることを防止することができる。
【００５１】
他方、分岐栓１では、これのハンドル７６を回動させて開閉流路７１を開状態として（且つ、分岐部材５０に接続される外部接続機器が浄水器の場合には分岐コック２を閉状態とし）、水栓９の上流側供給流路９２から分岐栓１における本体１０の流入流路１３に流入した水又は湯を、流出流路１４へ直接流通させて、これを水栓９の下流側供給流路９３に流出させて水栓９の吐出口９５から吐出させることができる。したがって、分岐栓１によれば、接続される外部接続機器が浄水器か否かによらず、また、接続される外部接続機器を使用しながら同時に水栓９の吐出口９５から、湯又は水を吐出させることができ、利便性を向上させることができる。
【００５２】
分岐栓１には、分岐部材５０が２つ具備されている。このように、分岐部材５０が複数個（２つ）具備されることにより、分岐栓１では、複数個（２つ）の外部接続機器を増設することが容易となる。
【００５３】
また、分岐栓１におけるパイプ材３０の内部空間は、本体１０の流入流路１３として構成される。ソケット２０には、第一貫通孔２１と第二貫通孔２２とがそれぞれ形成されている。ハブ４２には、第三貫通孔４３と第四貫通孔４４と第五貫通孔４５がそれぞれ形成されている。そして、分岐部材５０・５０が、ハブ４２の第三貫通孔４３とソケット２０の第一貫通孔２１、及び、ハブ４２の第四貫通孔４４とソケット２０の第二貫通孔２２にこれを挿入して本体１０に固定されて、本体１０の流入流路１３（パイプ材３０内）と分岐部材５０・５０の分岐流路５１・５１とが連通している。また、分岐栓１におけるソケット２０の内凸部２４より下方の内面とパイプ材３０の外面との間に、所定の空間Ｙ１が形成されている。外側部材１２におけるハブ４２の内壁と内側部材１１におけるソケット２０の上端部との間、及び、外側部材１２のハブ４２の内壁と内側部材１１のソケット２０の肉薄部２３・２３との間には、これらの間が互いに連通する所定の空間Ｙ２が形成されている。当該所定の空間Ｙ２は、所定の空間Ｙ１に、内側部材１１におけるソケット２０の切欠き部２５・２５を介して連通し、当該ソケット２０の切欠き部２５・２５を介した所定の空間Ｙ２と所定の空間Ｙ１との連通する空間が、本体１０の流出流路１４として構成される。そして、戻し部材６０が、第五貫通孔４５にこれを挿入して本体１０に固定されて、流出流路１４と戻し部材６０の戻し流路６１とが連通している。このように、分岐栓１によれば、接続される外部接続機器が浄水器か否かによらず、また、接続される外部接続機器を使用しながら同時に水栓９の吐出口９５から、湯又は水を吐出させることができ利便性を向上させた、複数個（２つ）の外部接続機器と接続される分岐部材５０と、外部接続機器と接続される戻し部材６０とを具備する分岐栓１を簡易構造で実現することができ、ひいてはこのような分岐栓１を低コストで実現することができる。
【００５４】
分岐栓１におけるソケット２０には、第一貫通孔２１と第二貫通孔２２とが、左右対称となるようにそれぞれ形成されている。また、分岐栓１におけるハブ４２には、第三貫通孔４３と第四貫通孔４４とが、左右対称となるようにそれぞれ形成されている。そして、分岐部材５０・５０が、ハブ４２の第三貫通孔４３とソケット２０の第一貫通孔２１、及び、ハブ４２の第四貫通孔４４とソケット２０の第二貫通孔２２にこれを挿入して本体１０に固定されている。つまり、分岐部材５０・５０は、左右対称に本体１０から延出するように本体１０に固定されている。さらに、分岐栓１におけるハブ４２には、第五貫通孔４５がその後方に形成されている。そして、戻し部材６０は、第五貫通孔４５にこれを挿入して本体１０に固定されている。つまり、戻し部材６０は、本体１０から後方に延出するように本体１０に固定されている。したがって、２つの分岐部材５０を具備して２つの外部接続機器を分岐部材５０に接続し、また戻し部材６０を具備して外部接続機器を戻し部材６０に接続した際においても、ホース３や分岐コック２の配置によって水栓９周りが煩雑になることを防止することができる。
【００５５】
また、分岐栓１では、分岐部材５０・５０は、ハブ４２の第三貫通孔４３または第四貫通孔４４を介して、ソケット２０の第一貫通孔２１または第二貫通孔２２に挿入されて本体１０に固定されている。このため、分岐栓１によれば、ハブ４２がソケット２０に対して回動すること、及び、上下に移動することを防止して、水栓９の取付け口９４へ分岐栓１の取付け作業を容易におこなうことができる。
【００５６】
分岐栓１におけるハブ４２には、第五貫通孔４５が第三貫通孔４３及び第四貫通孔４４と上下方向の位置とが互いに同一となるように形成されている。そして、戻し部材６０は、第五貫通孔４５にこれを挿入して本体１０に固定されている。つまり、戻し部材６０は、本体１０から延出している分岐部材５０の上下方向の高さと同一の高さで本体１０から延出するように本体１０に固定されている。したがって、分岐栓１によれば、分岐栓１の上下方向の高さを高くすることなく、外部接続機器を分岐部材５０と戻し部材６０とを同時に接続することができ、分岐栓１を取付けた水栓９全体の高さをコンパクトに構成することができる。
【００５７】
なお、分岐栓１は、分岐部材５０を２つ具備する構成であるが、１つの分岐部材５０を具備する構成でもよく、３つ以上の分岐部材５０を具備する構成でもよいものとする。
【００５８】
また、図９に示すごとく、水栓９における取付け口９４ｂの仕様が雌ネジ仕様（取付け口９４ｂの内周面に雌ネジが形成されている仕様）の場合には、分岐栓１のロックナット４０と水栓９の取付け口９４ｂとを螺合させて、分岐栓１を水栓９の取付け口９４ｂに取付けることが出来ない。もっとも、このような場合には、分岐栓１の本体１０にネジアダプタ８０及び延長ソケット８３を取付けることで、分岐栓１を雌ネジ仕様の水栓９に取付けることができる。
【００５９】
以下において、ネジアダプタ８０、及び、延長ソケット８３について説明する。ネジアダプタ８０は、金属素材からなる部材であり、上下方向を軸心方向とする略円筒状に形成されている。ネジアダプタ８０における上部の外径は、本体１０におけるロックナット４０の内径と略同一に形成されている。ネジアダプタ８０における下部の外径は水栓９の取付け口９４ｂの内径と略同一に形成されている。ネジアダプタ８０における上下中央部の外周面には、半径方向外側に突出する環状の台部８２が形成されている。また、ネジアダプタ８０における台部８２の直下の外周面には、位置決め溝が形成されており、当該位置決め溝にＯリング８１が嵌装されている。ネジアダプタ８０の上部及び下部の外周面には雄ネジが形成されている。
【００６０】
ネジアダプタ８０における上下中途部から上方の内径は、本体１０におけるソケット２０の下部（外凸部２６より下方）の外径と略同一に形成されている。ネジアダプタ８０における上下中央部から下方の内径は、ネジアダプタ８０がロックナット４０に取付けられた際に、本体１０におけるソケット２０の下部の外面とネジアダプタ８０の内面との間に所定の空間Ｙ３が形成されるように、下方に向かって次第に拡径となるテーパ状に形成されている。
【００６１】
このように構成されたネジアダプタ８０は、当該ネジアダプタ８０における上部の外周面に形成された雄ネジと、本体１０におけるロックナット４０の内周面に形成された雌ネジと、を螺合させることによって本体１０に取付けられる。そして、このようにネジアダプタ８０が本体１０に取付けられた際には、本体１０におけるソケット２０の下部の外面とネジアダプタ８０の内面との間に所定の空間Ｙ３が形成され、当該所定の空間Ｙ３は分岐栓１における本体１０の流出口２９を介して流出流路１４と連通することとなる。
【００６２】
延長ソケット８３は、金属素材からなる部材であり、上下方向を軸心方向とする略円筒状に形成されている。延長ソケット８３における上部の外径は、本体１０のソケットにおける下端部に嵌挿可能なように、本体１０のソケットにおける下端部の内径と略同一に形成されている。延長ソケット８３の上下中央部から下方の外径は、本体１０のソケットにおける下端部の外径と略同一に形成されている。延長ソケット８３の内径は、本体１０におけるパイプ材３０の外周面と略同一に形成されている。延長ソケット８３における上部の内周面には、位置決め溝が形成されており、当該位置決め溝にＯリング８４が嵌装されている。延長ソケット８３における下端部の下面には、位置決め溝が形成されており、当該位置決め溝にパッキン８５が嵌挿されている。
【００６３】
このように構成された延長ソケット８３は、配置されていたパッキン２８を取り除いた本体１０のソケットにおける下端部に、延長ソケット８３の上部を挿入することによって、本体１０に取付けられる。このように延長ソケット８３が本体１０に取付けられることで、延長ソケット８３の筒内の空間と分岐栓１における本体１０の入流流路１３とが連通することとなる。そして、ネジアダプタ８０と延長ソケット８３とが本体１０に取付けられた分岐栓１は、延長ソケット８３を水栓９の取付け口９４ｂの開口から挿入して、延長ソケット８３の下端部（パッキン８５）をシート部９６に当接させ、ネジアダプタ８０における下部の外周面に形成された雌ネジと、水栓９の取付け口９４ｂの内周面に形成された雄ネジを螺合させることによって、水栓９の取付け口９４ｂに固定されて取付けられる。このように分岐栓１が水栓９の取付け口９４に取付けられた際には、水栓９における取付け口９４ｂは、Ｏリング８１によって水密的にシールされている。
【００６４】
そして、このように分岐栓１が水栓９に取付けられた際には、分岐栓１における本体１０の流入流路１３は延長ソケット８３の筒内の空間を介して、水栓９の上流側供給流路９２と連通し、水栓９の上流側供給流路９２から、湯又は水が分岐栓１における本体１０の流入流路１３に流入することとなる。他方、係る状態の分岐栓１では、分岐栓１における本体１０の流出流路１４は、これの流出口２９及び所定の空間Ｙ３を介して水栓９の上流側供給流路９３と連通し、分岐栓１における本体１０の流出流路１４から湯又は水が水栓９の下流側供給流路９３へ流出することとなる。
【００６５】
以上のようにして、分岐栓１によれば、水栓９における取付け口９４の仕様が雌ネジ仕様の場合には、分岐栓１の本体１０にネジアダプタ８０及び延長ソケット８３を取付けることで、容易に分岐栓１を雌ネジ仕様の水栓９に取付けることができる。また、本体１０におけるロックナット４０の内径と水栓９の外径とが互いに螺合できないような大きさであった場合や、水栓９のシート部９６から水栓９の取付け口９４ｂの開口までの長さが長く分岐栓１を水栓９に取付けた際に、水栓９の上流側供給流路９２に分岐栓１における本体１０の流入流路１３が連通しないような場合にも、当該水栓９の仕様に合わせたネジアダプタ８０や延長ソケット８３等を本体１０に取付けることで、分岐栓１における本体１０の仕様を変更することなく、このような水栓９の取付け口９４ｂに分岐栓１を取付けることができる。
【符号の説明】
【００６６】
１    分岐栓
９    水栓
１３    流入流路
１４    流出流路
５０    分岐部材
５１    分岐流路
６０    戻し部材
６１    戻し流路
９１    供給流路
【図１】
0005567798.tif 000002
【図２】
0005567798.tif 000003
【図３】
0005567798.tif 000004
【図４】
0005567798.tif 000005
【図５】
0005567798.tif 000006
【図６】
0005567798.tif 000007
【図７】
0005567798.tif 000008
【図８】
0005567798.tif 000009
【図９】
0005567798.tif 000010